(57)【要約】【課題】本発明は、発熱を伴なう機器に冷水を循環供給して発熱機器を冷却する冷却装置に関するもので、従来の構成では外気の吸気口、もしくは排気口がケース側面に設けられているため、空気通路を確保するため壁面から数１０ｃｍ以上の間隔を設けて設置する必要があるため、壁面に密着設置することが出来ず、設置面積の増大等の課題があった。【解決手段】冷却装置の前面に操作部と吸気口及びエアフィルタ１４を設け、制御部１６を前面パネル３近傍に配し、背面側に、空気排出口、電源接続部と冷却水出入り口１８と給水口１９とドレン口２１を配し、水用フィルタを後方に設け、さらに制御部１６、水タンク１０の形状と配置を考慮した。【選択図】  図１
2004333055.tif 000002
【特許請求の範囲】
【請求項１】
水熱交換器を備えた冷却機と、前記冷却機を冷却する送風ファンと、前記水熱交換器により冷却される冷却水を加熱する加熱手段と、前記冷却水を送出するポンプと、前記冷却機と前記送風ファンと前記加熱手段並びに前記ポンプを制御する制御手段と、これらを搭載するシャーシと、前記シャーシをラックに挿入搭載し、前記シャーシの前面に操作部を設けたラック収納型冷却装置であって、前記冷却水を貯留する冷却水タンク並びに前記制御部を直方体の形状にして、前記冷却水タンク並びに前記制御部並びに前記ポンプのうちの少なくとも２つの長手方向の面をそれぞれ前記シャーシの側壁内面に沿わせ配設し、且つ前記シャーシの前後に空気の出入り口を設けたことを特徴とするラック収納型冷却装置。
【発明の詳細な説明】
【０００１】
【発明の属する技術分野】
本発明は、発熱を伴ない冷却を必要とする装置に冷水を循環供給するラック収納型冷却装置に関するものである。
【０００２】
【従来の技術】
従来より、レーザー加工機、超音波洗浄機などにおける冷却すべき部位の冷却には、温度調整された冷却水が使用されることが一般的である。近年レーザー加工機においては素子の発振効率を高めた半導体レーザー発振機などに小熱負荷の機器（２〜５ｋＷ程度）が実用に供されており、冷却装置も相応に小型化が求められさらに工場内で冷却装置を設置する際に設置場所を小さくすることが求められてきた。
【０００３】
かかる状況の中で、保守点検時に前後から容易に作業が出来る構造のものは知られているが、冷却装置内部の発熱源、例えば凝縮器、圧縮機、ポンプモータなどを冷却する空気の通路に関しては特に言及したものは見当たらず、側面や天面に吸気口、もしくは排気口を持つものが一般的である（例えば、特許文献１参照）。
【０００４】
【特許文献１】
特開平０４−０９３５７５号公報
【０００５】
【発明が解決しようとする課題】
従来の構成では図５に示す如く、吸気口もしくは排気口がケース側面に設けられている場合、空気通路を確保するために部屋壁面から数１０ｃｍ以上の間隔を設けて設置する必要があり、冷却装置のシャーシをラック収納した状態で使用するには、ラック側面または天面に開口部を設ける必要があった。さらに、ラックそのものも壁面に密着設置することが出来ず、設置面積の増大等の不具合があった。
【０００６】
また冷却装置のシャーシの天面に排気口がある場合はラック天面を開放する必要があり、このときラック最上段への設置に限定される欠点があった。
【０００７】
本発明は従来技術の持つこのような問題点に鑑みてなされたものであり、収納ラックの加工を最小限にとどめ、設置面積を小さく出来てさらに日常の保守点検が容易となるラック収納型冷却装置を提供するものである。
【０００８】
【課題を解決するための手段】
前記従来の課題を解決するため、水熱交換器を備えた冷却機と、前記冷却機を冷却する送風ファンと、前記水熱交換器により冷却される冷却水を加熱する加熱手段と、前記冷却水を送出するポンプと、前記冷却機と前記送風ファンと前記加熱手段並びに前記ポンプを制御する制御手段と、これらを搭載するシャーシと、前記シャーシをラックに挿入搭載し、前記シャーシの前面に操作部を設けたラック収納型冷却装置であって、前記冷却水を貯留する冷却水タンク並びに前記制御部を直方体の形状にして、前記冷却水タンク並びに前記制御部並びに前記ポンプのうちの少なくとも２つの長手方向の面をそれぞれ前記シャーシの側壁内面に沿わせ配設し、且つ前記シャーシの前後に空気の出入り口を設けたことよりラック内に収納可能で保守点検が容易な冷却装置を提供するものである。
【０００９】
【発明の実施の形態】
以下に、本発明の実施の形態について図面を参照しながら説明する。
【００１０】
（実施の形態１）
図１は本発明の第１の実施の形態におけるラック収納型冷却装置の側面断面図を示し、同図の左側を前面側としたものである。また、図２は平面断面図、図３は背面図である。
【００１１】
図に示すようにラック収納型冷却装置は、シャーシ１とケース２と前面パネル３および後板４で外装され、内部に圧縮機５、凝縮器６、膨張機構７（図示せず）及び水熱交換器を兼ねた蒸発器８を順次冷媒配管で接続した冷却手段と、凝縮器を空冷するための送風ファン９と、加熱手段（図示せず）と、冷却水を所定の温度に調整する機能を含む制御部１６と、一定量の冷却水を保持するタンク１０と、冷却水を送出するポンプ１１と水フィルタ１２により構成されている。
【００１２】
前面パネル３に吸気口１３（図示せず）及びエアフィルタ１４と操作部（図示せず）とを設け、前面パネル近傍に制御部１６を設置し、後板４に排気口２３と電源接続部１７と冷却水出入り口１８と給水口１９とドレン口２０とオーバーフロードレン口２１と、本体後方から脱着可能なフィルタ交換用扉２２を設け、水フィルタ１２をフィルタ交換用扉２２近傍に設けた構造となっている。
【００１３】
ファン９が運転されると前面パネル３に設置したエアフィルター１４を通過して本体内部へ外部空気がとりこまれる。図１の矢印で示すように内部でポンプモータや圧縮機を冷却した後に凝縮器で熱交換をして後板に設けた排気口より排出される。
【００１４】
また、図４に示すように、直方体形状に成形されたタンク１０の長手方向を本体側面に沿って設置し、制御部も前後に長手方向を有する容器内１６に収めて配置してもよい。このように配設することにより通風抵抗が少なく、通風による冷却を必要とするポンプと圧縮機と凝縮器を効果的に冷却できるため送風ファンの入力も小さく出来、信頼性が高い冷却装置を構成できる。
【００１５】
【発明の効果】
以上のように本発明は、水熱交換器を備えた冷却機と、前記冷却機を冷却する送風ファンと、前記水熱交換器により冷却される冷却水を加熱する加熱手段と、前記冷却水を送出するポンプと、前記冷却機と前記送風ファンと前記加熱手段並びに前記ポンプを制御する制御手段と、これらを搭載するシャーシと、前記シャーシをラックに挿入搭載し、前記シャーシの前面に操作部を設けたラック収納型冷却装置であって、前記冷却水を貯留する冷却水タンク並びに前記制御部を直方体の形状にして、前記冷却水タンク並びに前記制御部並びに前記ポンプのうちの少なくとも２つの長手方向の面をそれぞれ前記シャーシの側壁内面に沿わせ配設し、且つ前記シャーシの前後に空気の出入り口を設けたもので、かかる構成によれば、シャーシ側面に吸気口を設ける必要がなく、ラック内に収納した場合でもラック側面や天面に開口部を設ける必要がないとともに、部屋の壁際やその他の機器が隣接していても性能に影響を及ぼすことはなく設置面積を小さく出来ると共に、ポンプのモータ、圧縮器の放熱を促進することができ、また、通風回路が前から後への一方通行となるため、高温の排出空気を吸い込むいわゆるショートサーキットの防止も出来て効率的に運転でき、信頼性の高いラック収納型冷却装置を提供できる。
【００１６】
また、さらに保守点検時に冷却装置の前後から点検できるため効率の良い点検作業が可能となる。
【図面の簡単な説明】
【図１】本発明の第１の実施の形態における冷却装置の側面断面図
【図２】本発明の第１の実施の形態における冷却装置の平面断面図
【図３】本発明の第１の実施の形態における冷却装置の背面図
【図４】本発明の第１の実施の形態における冷却装置の平面断面図
【図５】従来の冷却装置の斜視図
【符号の説明】
１  シャーシ
３  前面パネル
４  後板
５  圧縮機
６  凝縮器
８  蒸発器（水熱交換器）
９  送風ファン
１０  タンク
１１  ポンプ
１２  水フィルタ
１４  エアフィルタ
１６  制御部
１７  電源接続部
１８  冷却水出入り口
１９  給水口
２０  ドレン口
２１  オーバーフロードレン口
２２  フィルタ交換用扉
２３  排気口
【図１】
2004333055.tif 000003
【図２】
2004333055.tif 000004
【図３】
2004333055.tif 000005
【図４】
2004333055.tif 000006
【図５】
2004333055.tif 000007